【手続補正書】
【提出日】平成21年6月29日(2009.6.29)
【手続補正１】
【補正対象書類名】特許請求の範囲
【補正対象項目名】全文
【補正方法】変更
【補正の内容】
【特許請求の範囲】
【請求項１】
水晶発振装置の温度補償を行なうための関数生成回路であって、
周囲温度に依存しない所定のアナログ信号を生成して出力する第１のアナログ信号生成回路と、
周囲温度に依存する1次関数に近似されるアナログ信号を生成して出力する第２のアナログ信号生成回路と、
前記第１のアナログ信号生成回路からの出力信号と前記第２のアナログ信号生成回路からの出力信号とを受け、周囲温度のとり得る範囲が低温側から高温側にかけて連続するｍ個（ｍは３以上の整数）の温度領域に順次分割されてなるｍ個の温度領域のそれぞれに対応する制御信号を生成して出力する近似３次関数生成回路と、
前記第２のアナログ信号生成回路の出力を受け、周囲温度に依存する１次関数制御信号を生成する１次関数生成回路と、
前記第１のアナログ信号生成回路の出力を受け、周囲温度に依存しない０次関数制御信号を生成する０次関数生成回路と、
第ｇ（ｇは１以上ｍ以下の整数）の温度領域において前記近似３次関数生成回路から出力される前記第ｇの制御信号と第ｈ（ｈはｇ以外の１以上ｍ以下の整数）の温度領域において前記近似３次関数生成回路から出力される第ｈの制御信号を用いて４次関数および５次関数に近似される制御信号を生成する近似４次５次関数生成回路と、
前記近似３次関数生成回路の出力信号と前記１次関数生成回路の出力信号と前記０次関数生成回路の出力信号と前記近似４次５次関数生成回路の出力信号を合成して出力する加算器と、
を備えることを特徴とする関数生成回路。
【請求項２】
請求項１記載の関数生成回路であって、
前記第２のアナログ信号生成回路から出力される第２のアナログ信号をダイオードの順方向電圧を使用して生成することを特徴とする関数生成回路。
【請求項３】
請求項１記載の関数生成回路であって、
前記第２のアナログ信号生成回路から出力される第２のアナログ信号を抵抗の第１の抵抗群と第２の抵抗群の温度係数の差を使用して生成することを特徴とする関数生成回路。
【請求項４】
水晶発振装置の温度補償を行なうための関数生成回路であって、
周囲温度に依存しない所定のアナログ信号を生成して出力する第１のアナログ信号生成回路と、
周囲温度に依存する1次関数に近似されるアナログ信号を生成して出力する第２のアナ
ログ信号生成回路を備え、
前記第１のアナログ信号生成回路からの出力信号と前記第２のアナログ信号生成回路からの出力信号とを受けて出力する近似３次関数生成回路と、
前記第２のアナログ信号生成回路の出力を受け、周囲温度に依存する１次関数制御信号を生成する１次関数生成回路と、
前記第１のアナログ信号生成回路の出力を受け、周囲温度に依存しない０次関数制御信号を生成する０次関数生成回路と、
前記第２のアナログ信号生成回路からの出力信号を受け、低温領域に対応する前記低温領域制御信号を生成して出力する近似ｎ次（ｎは４以上の整数）関数生成回路と、
前記近似３次関数生成回路と前記１次関数生成回路の出力信号と前記０次関数生成回路の出力信号と前記近似ｎ次関数生成回路の出力信号を合成して出力する加算器と、
を備えることを特徴とする関数生成回路。
【請求項５】
請求項４記載の関数生成回路であって、
前記第２のアナログ信号生成回路から出力される第２のアナログ信号をダイオードの順方向電圧を使用して生成することを特徴とする関数生成回路。
【請求項６】
請求項４記載の関数生成回路であって、
前記第２のアナログ信号生成回路から出力される第２のアナログ信号を抵抗の第１の抵抗群と第２の抵抗群の温度係数の差を使用して生成することを特徴とする関数生成回路。
【請求項７】
請求項４記載の関数生成回路であって、
前記近似３次関数生成回路は、前記第１のアナログ信号生成回路からの出力信号と前記第２のアナログ信号生成回路からの出力信号とを受け、周囲温度のとり得る範囲が低温側から高温側にかけて連続するｍ個の温度領域に順次分割されてなるｍ個の温度領域のそれぞれに対応する制御信号を生成して出力することを特徴とする関数生成回路。
【請求項８】
水晶発振装置の温度補償を行なうための関数生成回路であって、
周囲温度に依存しない所定のアナログ信号を生成して出力する第１のアナログ信号生成回路と、
周囲温度に依存する1次関数に近似されるアナログ信号を生成して出力する第２のアナ
ログ信号生成回路を備え、
前記第１のアナログ信号生成回路からの出力信号と前記第２のアナログ信号生成回路からの出力信号とを受けて出力する近似３次関数生成回路と、
前記第２のアナログ信号生成回路の出力を受け、周囲温度に依存する１次関数制御信号を生成する１次関数生成回路と、
前記第１のアナログ信号生成回路の出力を受け、周囲温度に依存しない０次関数制御信号を生成する０次関数生成回路と、
前記第２のアナログ信号生成回路からの出力信号を受け、周囲温度のとり得る範囲が低温領域における連続するｓ（ｓは２以上の整数）個の温度領域に順次分割されてなるｓ個の温度領域のそれぞれに対応する低温領域制御信号と、周囲温度のとり得る範囲が高温領域における連続するｔ（ｔは２以上の整数）個の温度領域に順次分割されてなるｔ個の温度領域のそれぞれに対応する高温領域制御信号を生成して出力する近似ｎ次（ｎは４以上の整数）関数生成回路と、
前記近似３次関数生成回路と前記１次関数生成回路の出力信号と前記０次関数生成回路の出力信号と前記近似ｎ次関数生成回路の出力信号を合成して出力する加算器と、
を備えることを特徴とする関数生成回路。
【請求項９】
請求項８記載の関数生成回路であって、
前記第２のアナログ信号生成回路から出力される第２のアナログ信号をダイオードの順方向電圧を使用して生成することを特徴とする関数生成回路。
【請求項１０】
請求項８記載の関数生成回路であって、
前記第２のアナログ信号生成回路から出力される第２のアナログ信号を抵抗の第１の抵抗群と第２の抵抗群の温度係数の差を使用して生成することを特徴とする関数生成回路。
【請求項１１】
請求項１記載の関数生成回路であって、
前記第２のアナログ信号生成回路の出力を受け、変極点温度を調整し、前記近似３次関数生成回路及び前記１次関数生成回路に出力する変極点調整回路を備えたことを特徴とする関数生成回路。
【請求項１２】
請求項４記載の関数生成回路であって、
前記第２のアナログ信号生成回路の出力を受け、変極点温度を調整し、前記近似３次関数生成回路及び前記１次関数生成回路に出力する第１の変極点調整回路を備えたことを特徴とする関数生成回路。
【請求項１３】
請求項４記載の関数生成回路であって、
前記第２のアナログ信号生成回路の出力信号を受け、低温領域に対応する低温領域制御信号を出力する低温領域制御回路の動作温度領域を調整する低温動作領域調整回路と、
高温領域に対応する高温領域制御信号を出力する高温領域制御回路の動作温度領域を調整する高温動作領域調整回路と、を備え、
前記近似ｎ次関数生成回路は、前記低温動作領域調整回路の出力信号と前記高温動作領域調整回路の出力信号と前記第２のアナログ信号生成回路からの出力信号を受け、低温領域に対応する前記低温領域制御信号と高温領域に対応する前記高温領域制御信号を生成して出力することを特徴とする関数生成回路。
【請求項１４】
請求項４記載の関数生成回路であって、
前記第２のアナログ信号生成回路の出力を受け、変極点温度を調整し、前記近似ｎ次関数生成回路に出力する第２の変極点調整回路を備えたことを特徴とする関数生成回路。
【請求項１５】
請求項８記載の関数生成回路であって、
前記第２のアナログ信号生成回路の出力を受け、変極点温度を調整し、前記近似３次関数生成回路及び前記１次関数生成回路に出力する第１の変極点調整回路を備えたことを特徴とする関数生成回路。
【請求項１６】
請求項８記載の関数生成回路であって、
前記第２のアナログ信号生成回路の出力信号を受け、低温領域に対応する低温領域制御信号を出力する低温領域制御回路の動作温度領域を調整する低温動作領域調整回路と、
高温領域に対応する高温領域制御信号を出力する高温領域制御回路の動作温度領域を調整する高温動作領域調整回路と、を備え、
前記近似ｎ次関数生成回路は、前記低温動作領域調整回路の出力信号と前記高温動作領域調整回路の出力信号と前記第２のアナログ信号生成回路からの出力信号とを受けることを特徴とする関数生成回路。
【請求項１７】
請求項８記載の関数生成回路であって、
前記第２のアナログ信号生成回路の出力を受け、変極点温度を調整し、前記近似ｎ次関数生成回路に出力する第２の変極点調整回路を備えたことを特徴とする関数生成回路。